【事件の表示】
　特許第４５２１８７４号に関する訂正審判事件について、次のとおり審決する。
【結　論】
　特許第４５２１８７４号に係る明細書及び図面を本件審判請求書に添付された訂正特許請求の範囲及び訂正明細書のとおり訂正することを認める。
【理　由】
１．手続の経緯
　本件特許第４５２１８７４号の請求項１に係る発明は、平成１７年９月２７日に特許出願され、平成２２年６月４日に特許権の設定登録がなされ、その後、平成２３年６月７日付けで本件審判が請求されたものである。
　
　
２．審判請求の要旨
　本件審判請求の要旨は、本件特許第４５２１８７４号の明細書(以下、「本件特許明細書」という。)及び特許請求の範囲（以下、「本件特許請求の範囲」という。）を本件審判請求書に添付された訂正特許請求の範囲及び訂正明細書のとおり訂正することを求めるものである。
　その訂正内容は、次のとおりである。
　
＜訂正事項１＞
　本件特許請求の範囲の
「【請求項１】
　ベース部材と、互いの側部に設けられた上下一対の第１ヒンジ機構により前記ベース部材に対して揺動開閉自在にヒンジ接続された第１開閉部材と、前記第１開閉部材の上部に配設され互いの側部に設けられた上下一対の第２ヒンジ機構により前記第１開閉部材に対して揺動開閉自在にヒンジ接続された第２開閉部材とを備えてなる遊技機の上部ヒンジ構造であって、
　前記第１ヒンジ機構における上方の第１ヒンジ機構は、前後に延びる板状部に上方に突出して固着された軸部を有して前記第１開閉部材に固定された開閉側ヒンジ部材と、前後に延びる板状部に設けられ前記軸部と係合する軸受部を有して前記ベース部材に固定されたベース側ヒンジ部材とからなり、
　前記第２ヒンジ機構における上方の第２ヒンジ機構は、前記第２開閉部材の上部に上下にスライド度変位可能に軸支され上方に付勢されたピン部材と、前記開閉側ヒンジ部材に設けられて前記ピン部材と係合するピン受容穴とからなり、
　前記ピン受容穴が前記開閉側ヒンジ部材の下面側に開口して前記軸部に形成され、前記ピン部材の先端部を受容して前記第２開閉部材が揺動開閉自在にヒンジ接続されるように構成したことを特徴とする遊技機の上部ヒンジ構造。」を
「【請求項１】
　ベース部材と、互いの側部に設けられた上下一対の第１ヒンジ機構により前記ベース部材に対して揺動開閉自在にヒンジ接続された第１開閉部材と、前記第１開閉部材の上部に配設され互いの側部に設けられた上下一対の第２ヒンジ機構により前記第１開閉部材に対して揺動開閉自在にヒンジ接続された第２開閉部材とを備えてなる遊技機の上部ヒンジ構造であって、
　前記第１ヒンジ機構における上方の第１ヒンジ機構は、前後に延びる板状部に上方に突出して固着された軸部を有して前記第１開閉部材に固定された開閉側ヒンジ部材と、前後に延びる板状部に設けられ前記軸部と係合する軸受部を有して前記ベース部材に固定されたベース側ヒンジ部材とからなり、
　前記第２ヒンジ機構における上方の第２ヒンジ機構は、前記第２開閉部材の上部に上下にスライド変位可能に軸支され上方に付勢されたピン部材と、前記開閉側ヒンジ部材に設けられて前記ピン部材と係合するピン受容穴とからなり、
　前記ピン受容穴が前記開閉側ヒンジ部材の下面側に開口して前記軸部に形成され、前記ピン部材の先端部を受容して前記第２開閉部材が揺動開閉自在にヒンジ接続されるように構成したことを特徴とする遊技機の上部ヒンジ構造。」と訂正する。
　
＜訂正事項２＞
　本件特許明細書の段落【０００９】の
「上記目的達成のため、本発明は、ベース部材（例えば、実施形態における外枠１）と、互いの側部に設けられた上下一対の第１ヒンジ機構（例えば、実施形態における枠ヒンジ機構ＷＨ）によりベース部材に対して揺動開閉自在にヒンジ接続された第１開閉部材（例えば、実施形態における前枠２）と、第１開閉部材の上部に配設され互いの側部に設けられた上下一対の第２ヒンジ機構（例えば、実施形態における扉ヒンジ機構ＴＨ）により第１開閉部材に対して揺動開閉自在にヒンジ接続された第２開閉部材（例えば、実施形態におけるガラス扉５）とを備えてなる遊技機の上部ヒンジ構造である。このヒンジ構造では、第１ヒンジ機構における上方の第１ヒンジ機構（例えば、実施形態における枠上部ヒンジ機構ＷＨ１）は、前後に延びる板状部に上方に突出して固着された軸部を有して第１開閉部材に固定された開閉側ヒンジ部材（例えば、実施形態における前枠側ヒンジ金具１２０）と、前後に延びる板状部に設けられ軸部と係合する軸受部を有してベース部材に固定されたベース側ヒンジ部材（例えば、実施形態における外枠側ヒンジ金具１１０）とからなる。また第２ヒンジ機構における上方の第２ヒンジ機構（例えば、実施形態における扉上部ヒンジ機構ＴＨ１）は、第２開閉部材の上部に上下にスライド度変位可能に軸支されて上方に付勢されたピン部材と、開閉側ヒンジ部材に設けられてピン部材と係合するピン受容穴とからなり、ピン受容穴が開閉側ヒンジ部材の下面側に開口して軸部に形成され、ピン部材の先端部を受容して第２開閉部材が揺動開閉自在にヒンジ接続されるように構成される。」を、
「上記目的達成のため、本発明は、ベース部材（例えば、実施形態における外枠１）と、互いの側部に設けられた上下一対の第１ヒンジ機構（例えば、実施形態における枠ヒンジ機構ＷＨ）によりベース部材に対して揺動開閉自在にヒンジ接続された第１開閉部材（例えば、実施形態における前枠２）と、第１開閉部材の上部に配設され互いの側部に設けられた上下一対の第２ヒンジ機構（例えば、実施形態における扉ヒンジ機構ＴＨ）により第１開閉部材に対して揺動開閉自在にヒンジ接続された第２開閉部材（例えば、実施形態におけるガラス扉５）とを備えてなる遊技機の上部ヒンジ構造である。このヒンジ構造では、第１ヒンジ機構における上方の第１ヒンジ機構（例えば、実施形態における枠上部ヒンジ機構ＷＨ１）は、前後に延びる板状部に上方に突出して固着された軸部を有して第１開閉部材に固定された開閉側ヒンジ部材（例えば、実施形態における前枠側ヒンジ金具１２０）と、前後に延びる板状部に設けられ軸部と係合する軸受部を有してベース部材に固定されたベース側ヒンジ部材（例えば、実施形態における外枠側ヒンジ金具１１０）とからなる。また第２ヒンジ機構における上方の第２ヒンジ機構（例えば、実施形態における扉上部ヒンジ機構ＴＨ１）は、第２開閉部材の上部に上下にスライド変位可能に軸支されて上方に付勢されたピン部材と、開閉側ヒンジ部材に設けられてピン部材と係合するピン受容穴とからなり、ピン受容穴が開閉側ヒンジ部材の下面側に開口して軸部に形成され、ピン部材の先端部を受容して第２開閉部材が揺動開閉自在にヒンジ接続されるように構成される。」と訂正する。
　
　
３．当審の判断
　訂正事項１において、本件特許請求の範囲の請求項１の「スライド度変位可能」を「スライド変位可能」に訂正する点は、「度」を削除するための訂正であって、誤記の訂正を目的とするものである。
　
　訂正事項２において、特許明細書の段落【０００９】の「スライド度変位可能」を「スライド変位可能」に訂正する点は、「度」を削除するための訂正であって、誤記の訂正を目的とするものである。
　
　したがって、訂正事項１〜２は、いずれも特許法１２６条１項ただし書２号に掲げる事項を目的としたものと認める。
　そして、訂正事項１〜２は、願書に最初に添付した明細書又は図面に記載された事項の範囲内においてされたものであり、実質上特許請求の範囲を拡張し又は変更するものでもないので、特許法１２６条３〜４項の規定に適合する。
　さらに、訂正事項１による訂正後の請求項１に係る発明について、特許出願の際独立して特許を受けることができないとする理由を発見しないから、訂正事項１は、特許法１２６条５項の規定にも適合する。
　
　
４．むすび
　以上のとおりであるから、本件訂正審判の請求は、特許法１２６条１項ただし書２号に掲げる事項を目的とするものである。また、同条３〜５項の規定にも適合する。
　よって、結論のとおり審決する。